【手続補正書】
【提出日】平成16年11月10日(2004.11.10)
【手続補正１】
【補正対象書類名】明細書
【補正対象項目名】特許請求の範囲
【補正方法】変更
【補正の内容】
【特許請求の範囲】
【請求項１】
複数の制御手段と、
各制御手段に対応するソフトウェアプログラムが記憶されたプログラム記憶手段と、
配信されるソフトウェアプログラムと共に当該ソフトウェアプログラムが上記複数の制御手段のうちいずれの制御手段に対応するのかを示す情報を受信する受信手段と、を備え、
上記プログラム記憶手段に記憶されているソフトウェアプログラムのうち上記受信手段で受信されたソフトウェアプログラムに対応するソフトウェアプログラムが、上記情報が示す制御手段以外の制御手段の制御に基づいて、上記受信手段で受信されたソフトウェアプログラムに更新処理されること
を特徴とする移動体通信端末。
【請求項２】
上記受信手段は、上記配信されるソフトウェアプログラムより先に上記情報を受信すること
を特徴とする請求項１記載の移動体通信端末。
【請求項３】
上記更新処理が行われる際には、上記情報が示す制御手段以外の制御手段によって、上記情報が示す制御手段が停止制御されること
を特徴とする請求項１または請求項２に記載の移動体通信端末。
【請求項４】
上記配信されるソフトウェアプログラムには、重要度を示す情報が付されており、
上記受信手段で受信されたソフトウェアプログラムが重要度の低いソフトウェアプログラムであった場合、ユーザに対してソフトウェアの更新の是非を問い、ユーザにより更新処理の実行が指定された際に、上記ソフトウェアの更新処理を行い、
上記受信手段で受信されたソフトウェアプログラムが重要度の高いソフトウェアプログラムであった場合、ユーザに対してソフトウェアの更新の是非を問うことなく、上記ソフトウェアの更新処理を行うこと
を特徴とする請求項１から請求項３のうち、いずれか一項に記載の移動体通信端末。
【請求項５】
上記受信手段で受信されたソフトウェアプログラムが重要度の低いソフトウェアプログラムであった場合であって、ユーザにより更新処理の実行が指定されなかった場合、上記受信手段で受信されたソフトウェアプログラムを消去処理するか、或いは当該移動体通信端末の充電時を検出した際に上記受信手段で受信されたソフトウェアプログラムの更新処理を実行すること
を特徴とする請求項４に記載の移動体通信端末。
【請求項６】
上記受信手段は、上記配信されたソフトウェアプログラムの受信が中断された場合、中断された位置から該ソフトウェアプログラムの受信を開始するレジューム機能を有すること
を特徴とする請求項１から請求項５のうち、いずれか一項に記載の移動体通信端末。
【請求項７】
上記受信手段で受信されたソフトウェアプログラムを記憶する、当該移動体通信端末に内蔵された内部記憶手段、及び／又は、当該移動体通信端末に外付けされる外部記憶手段を有すること
を特徴とする請求項１から請求項６のうち、いずれか一項に記載の移動体通信端末。
【請求項８】
上記制御手段として、通信系の制御を行うコミュニケーション制御手段、及びアプリケーション系の制御を行うアプリケーション制御手段を有すること
を特徴とする請求項１から請求項７のうち、いずれか一項に記載の移動体通信端末。
【請求項９】
上記複数の制御手段は２つの制御手段から構成され、当該２つの制御手段が通信系の制御を行うコミュニケーション制御手段及びアプリケーション系の制御を行うアプリケーション制御手段であること
を特徴とする請求項１から請求項８のうち、いずれか一項に記載の移動体通信端末。
【請求項１０】
移動体通信端末のソフトウェア更新方法において、
配信されるソフトウェアと共に、当該ソフトウェアの種別を示す種別情報を受信し、
当該移動体通信端末が備える複数の制御手段のうち上記種別情報に対応する制御手段以外の制御手段の制御に基づき、上記種別情報に対応する既存のソフトウェアを上記配信されたソフトウェアに更新すること
を特徴とする移動体通信端末のソフトウェア更新方法。
【請求項１１】
上記種別情報は配信されるソフトウェアより先に受信されること
を特徴とする請求項１０に記載の移動体通信端末のソフトウェア更新方法。
【請求項１２】
上記更新が行われる際には、上記種別情報に対応する制御手段以外の制御手段によって、上記情報に対応する制御手段が停止制御されること
を特徴とする請求項１０または請求項１１に記載の移動体通信端末のソフトウェア更新方法。
【請求項１３】
上記配信されたソフトウェアに重要性を示す情報が含まれることを検出した場合、ユーザに対してソフトウェアの更新の是非を問うことなく上記ソフトウェアの更新を行うこと
を特徴とする請求項１０から請求項１２のうち、いずれか一項に記載の移動体通信端末のソフトウェア更新方法。
【請求項１４】
上記配信されたソフトウェアに重要性を示す情報が含まれていないことを検出した場合、ユーザに対してソフトウェアの更新の是非を問い、ユーザにより更新処理の実行が指定された際に上記ソフトウェアの更新を行うこと
を特徴とする請求項１０または請求項１３に記載の移動体通信端末のソフトウェア更新方法。
【請求項１５】
上記配信されたソフトウェアに重要性を示す情報が含まれていないことを検出した場合であって、ユーザにより更新処理の実行が指定されなかった場合、
上記配信されたソフトウェアを消去処理するか、或いは当該移動体通信端末の充電時を検出した際に更新を実行すること
を特徴とする請求項１４に記載の移動体通信端末のソフトウェア更新方法。
【請求項１６】
上記配信されるソフトウェアを受信する際には、当該ソフトウェアのデータ受信状況を監視し、当該監視の結果、上記データ受信が中断されたことを判別した場合には、当該移動体通信端末が備える制御手段の制御に基づいて、上記中断位置から上記ソフトウェアの受信を再開することにより、上記ソフトウェアの全データを受信すること
を特徴とする請求項１０から請求項１５のうち、いずれか一項に記載の移動体通信端末のソフトウェア更新方法。
【請求項１７】
上記配信されたソフトウェアは、当該移動体通信端末が備える制御手段の制御に基づいて、当該移動体通信端末に内蔵された内部記憶手段、及び／又は、当該移動体通信端末に外付けされる外部記憶手段に記憶されること
を特徴とする請求項１０から請求項１６のうち、いずれか一項に記載の移動体通信端末のソフトウェア更新方法。
【請求項１８】
当該移動体通信端末が備える複数の制御手段は、通信系の制御を行うコミュニケーション制御手段、及びアプリケーション系の制御を行うアプリケーション制御手段を有すること
を特徴とする請求項１０から請求項１７のうち、いずれか一項に記載の移動体通信端末のソフトウェア更新方法。
【請求項１９】
当該移動体通信端末が備える複数の制御手段は２つの制御手段から構成され、当該２つの制御手段が通信系の制御を行うコミュニケーション制御手段及びアプリケーション系の制御を行うアプリケーション制御手段であること
を特徴とする請求項１０から請求項１８のうち、いずれか一項に記載の移動体通信端末のソフトウェア更新方法。
【手続補正２】
【補正対象書類名】明細書
【補正対象項目名】０００１
【補正方法】変更
【補正の内容】
【０００１】
【発明の属する技術分野】
本発明は、例えば携帯電話機，ＰＨＳ電話機（PHS：Personal Handyphone System）、或いは通信機能を有するＰＤＡ装置（PDA：Personal Digital Assistants）等のモバイルコミュニケーション機器に適用して好適な移動体通信端末及び移動体通信端末のソフトウェア更新方法に関し、特に、複数の制御手段で各情報処理を分担する構成で、各制御手段毎の情報処理用プログラムの更新を可能とした移動体通信端末及び移動体通信端末のソフトウェア更新方法に関する。
【手続補正３】
【補正対象書類名】明細書
【補正対象項目名】０００４
【補正方法】変更
【補正の内容】
【０００４】
本発明は、上述の課題に鑑みてなされたものであり、ソフトウェアの更新処理等を、メーカ側及びユーザ側の両方にとって簡単に実行可能とする移動体通信端末及び移動体通信端末のソフトウェア更新方法の提供を目的とする。
【手続補正４】
【補正対象書類名】明細書
【補正対象項目名】０００６
【補正方法】変更
【補正の内容】
【０００６】
【課題を解決するための手段】
本発明に係る移動体通信端末は、上述の課題を解決するための手段として、複数の制御手段と、各制御手段に対応するソフトウェアプログラムが記憶されたプログラム記憶手段と、配信されるソフトウェアプログラムと共に当該ソフトウェアプログラムが上記複数の制御手段のうちいずれの制御手段に対応するのかを示す情報を受信する受信手段とを備える。
そして、上記プログラム記憶手段に記憶されているソフトウェアプログラムのうち上記受信手段で受信されたソフトウェアプログラムに対応するソフトウェアプログラムが、上記情報が示す制御手段以外の制御手段の制御に基づいて、上記受信手段で受信されたソフトウェアプログラムに更新処理される。
また、本発明に係る移動体通信端末のソフトウェア更新方法は、上述の課題を解決するために、配信されるソフトウェアと共に、当該ソフトウェアの種別を示す種別情報を受信し、当該移動体通信端末が備える複数の制御手段のうち上記種別情報に対応する制御手段以外の制御手段の制御に基づき、上記種別情報に対応する既存のソフトウェアを上記配信されたソフトウェアに更新する。
【手続補正５】
【補正対象書類名】図面
【補正対象項目名】図６
【補正方法】変更
【補正の内容】
【図６】
2003304343.tif 000001